【手続補正書】
【提出日】平成26年4月8日(2014.4.8)
【手続補正１】
【補正対象書類名】明細書
【補正対象項目名】０００８
【補正方法】変更
【補正の内容】
【０００８】
１つの実施形態にしたがって、製品レベルをモニターするシステムと方法が提供される。このシステムは、製品レベル・センサと、インピーダンスが、残っている製品の量に基づいて変動する受動的同調回路を有する製品コンテナを含むことができる。このシステムは、受動的同調回路のインピーダンスをモニターするために、一次コイルを有する誘導性リーダを更に含むことができる。本システムは、例えば、液体、ばらの物品、シート材料のロールなどの製品レベルをモニターするように構成することができる。製品レベルが所定のレベル以下に落ちたときに、いくつかの実施形態において、追加の製品量を、自動的に再発注することができる。
【手続補正２】
【補正対象書類名】特許請求の範囲
【補正対象項目名】全文
【補正方法】変更
【補正の内容】
【特許請求の範囲】
【請求項１】
時間変動電磁場を生成するのに適合した誘導性リーダを使用するための製品センサであって、
該製品センサは、製品のための格納デバイスと、前記誘導性リーダから分離され、該格納デバイスによって支持され、可変インピーダンス素子に電気的に結合された二次コイルを含む製品センサ回路と、を備え、
前記可変インピーダンス素子のインピーダンスは、前記製品の特性に比例して変動し、
前記製品センサ回路は、前記可変インピーダンス素子のインピーダンスの関数として変動する反射インピーダンスを有し、前記時間変動電磁場に応じて、前記製品の特性を、前記製品センサ回路の前記反射インピーダンスに基づいて、前記誘導性リーダにより、遠隔で決定できるようになっている、製品センサ。
【請求項２】
前記可変インピーダンス素子は、可変抵抗器と、可変キャパシタと、可変インダクタとのうちの１つを含む、請求項１に記載の製品センサ。
【請求項３】
前記製品は、重量を定める複数のばらの物品を含み、
前記特性は、前記格納デバイスの中の前記複数のばらの物品の重さを含む、請求項１に記載の製品センサ。
【請求項４】
前記製品は、体積を定める液体を含み、
前記特性は、前記格納デバイスの中の前記液体の量を含む、請求項１に記載の製品センサ。
【請求項５】
前記製品は、体積を定める液体を含み、
前記特性は、前記格納デバイスの中の前記液体の温度を含む、請求項１に記載の製品センサ。
【請求項６】
前記製品は、量を定めるシート材料のロールを含み、
前記格納デバイスは、ロール形状を含み、
前記特性は、ロール形状におけるシート材料の量を含む、請求項１に記載の製品センサ。
【請求項７】
シート材料の前記ロールは、前記可変インピーダンス素子の前記インピーダンスを変動させるために、パーフォレーションに沿って分離できる、請求項６に記載の製品センサ。
【請求項８】
シート材料の前記ロールは、縦方向軸を定め、
前記パーフォレーションは、縦方向軸に概垂直である、請求項７に記載の製品センサ。
【請求項９】
シート材料の前記ロールは、縦方向軸を定め、
前記パーフォレーションは、前記縦方向軸と概平行である、請求項７に記載の製品センサ。
【請求項１０】
前記格納デバイスにより支持され、電磁界を変動する時間に応じて、前記液体を加熱するのに適している加熱素子を更に備える請求項５に記載の製品センサ。
【請求項１１】
前記加熱素子は、強磁性材から形成される、請求項１０に記載の製品センサ。
【請求項１２】
電力源を加熱素子に提供するために、前記加熱素子に電気的に接続された誘導素子を更に含む請求項１０に記載の製品センサ。
【請求項１３】
前記可変インピーダンス素子は、サーミスタである、請求項５に記載の製品センサ。
【請求項１４】
前記製品センサ回路は、直列共振キャパシタを含む、請求項１に記載の製品センサ。
【請求項１５】
前記格納デバイスは、製品のために格納スペースを定める、ベースと上へ広がっている側壁とを含む、請求項１に記載の製品センサ。
【請求項１６】
前記格納デバイスによって支持される製品識別回路であって、誘導性識別プロフィールを規定する製品識別回路を更に含む請求項１に記載の製品センサ。
【請求項１７】
前記製品識別回路は、各々共振周波数を定めている複数の分離された共振回路を含む、請求項１６に記載の製品センサ。
【請求項１８】
前記複数の分離された共振回路の各々は、対応する前記分離された共振回路の共振周波数を変動させるために、スイッチを含む、請求項１７に記載の製品センサ。
【請求項１９】
前記複数の分離された共振回路の各々は、抵抗素子に電気的に結合された誘導性素子を含み、
前記スイッチは、該抵抗素子を短絡させるために動作可能である、請求項１８に記載の製品センサ。
【請求項２０】
一次タンク回路を含む誘導性リーダであって、時間変動電磁場を生成するのに適合しており、製品センサ回路の反射インピーダンスに基づいて製品の特性を決定するのに適合している誘導性リーダを備える製品センサーシステムであって、
前記製品センサ回路は、可変インピーダンスを規定するインピーダンス素子に電気的に結合された二次コイルを含み、
前記インピーダンス素子の可変インピーダンスは、前記製品の特性は、前記製品センサ回路の前記反射インピーダンスに基づいて、前記製品センサーシステムにより決定することができるように、前記製品の前記特性に比例して変動し、
前記製品センサ回路は、前記製品のためのサポート・デバイスの上に含まれており、前記誘導性リーダから分離されている、製品センサーシステム。
【請求項２１】
前記誘導性リーダは、前記決定された特性を、該誘導性リーダと前記サポート・デバイスとから遠隔にあるハブに伝送するのに適している、請求項２０に記載の製品センサーシステム。
【請求項２２】
前記製品は、重量を定める複数のばらの物品を含み、
前記特性は、前記サポート・デバイスの中の前記複数のばらの物品の重さを含む、請求項２０に記載の製品センサーシステム。
【請求項２３】
前記製品は、体積を定める液体を備え、
前記特性は、前記サポート・デバイスの中の前記液体の量を含む、請求項２０に記載の製品センサーシステム。
【請求項２４】
前記製品は、体積を定める液体を備え、
前記特性は、前記サポート・デバイスの中の前記液体の温度を含む、請求項２０に記載の製品センサーシステム。
【請求項２５】
前記製品は、量を定めるシート材料のロールを含み、
前記サポート・デバイスは、ロール形状を含み、
前記特性は、ロール形状におけるシート材料の量を含む、請求項２０に記載の製品センサーシステム。
【請求項２６】
前記製品センサ回路は、可変インピーダンス素子を含む、請求項２０に記載の製品センサーシステム。
【請求項２７】
前記可変インピーダンス素子は、可変キャパシタと、可変インダクタと、可変抵抗器と、のうちの１つを含む、請求項２６に記載の製品センサーシステム。
【請求項２８】
前記液体は、少なくとも部分的に導電性である、請求項２３に記載の製品センサーシステム。
【請求項２９】
前記サポート・デバイスによって支持され、
電磁場を変動している時間に応じて、前記液体を加熱するのに適している加熱素子を更に備える請求項２４の製品センサーシステム。
【請求項３０】
前記加熱素子は、強磁性材から形成される、請求項２９に記載の製品センサーシステム。
【請求項３１】
シート材料の前記ロールは、前記製品センサ回路のインピーダンスを変動させるために、パーフォレーションに沿って分離できる、請求項２５に記載の製品センサーシステム。
【請求項３２】
前記サポート・デバイスによって支持され、誘導性識別プロフィールを規定する製品識別回路を更に備える請求項２０に記載の製品センサーシステム。
【請求項３３】
前記製品識別回路は、各々が共振周波数を定める複数の分離された共振回路を含む、請求項３２に記載の製品センサーシステム。
【請求項３４】
前記複数の分離された共振回路の各々は、対応する前記分離された共振回路の共振周波数を変動させるためにスイッチを含む、請求項３３に記載の製品センサーシステム。
【請求項３５】
前記複数の分離された共振回路の各々は、抵抗素子に電気的に結合された、誘導性素子を含み、
前記スイッチは、該抵抗素子を短絡させるために動作可能である、請求項３４に記載の製品センサーシステム。
【請求項３６】
前記誘導性リーダは、前記誘導性識別プロフィールの関数として選択された周波数を有する前記一次タンク回路において電流を変動する時間を生成するのに適合している、請求項３２に記載の製品センサーシステム。
【請求項３７】
誘導性リーダを使用するための製品センサを形成する方法であって、
可変インピーダンスを規定するインピーダンス素子に電気的に結合された二次コイルを含む製品センサ回路を提供するステップと、
サポート・デバイスを、可変特性を定めている製品に提供するステップと、
前記製品センサ回路を前記サポート・デバイスに取り付けるステップと、を含む方法であって、
前記インピーダンス素子のインピーダンスは、前記製品の特性に比例して変動し、
前記製品センサ回路は、前記インピーダンス素子のインピーダンスの関数として変動する反射インピーダンスを有し、前記特性が、前記反射インピーダンスに基づいて、前記誘導性リーダにより、遠隔で決定できるようになっている、
方法。
【請求項３８】
前記製品を前記サポート・デバイスに加えるステップを更に含む請求項３７に記載の方法。
【請求項３９】
前記製品センサ回路により、二次コイルと可変インピーダンス素子とを規定するステップを更に含む請求項３７に記載の方法。
【請求項４０】
前記サポート・デバイスにより、ベースと側壁を規定するステップを更に含む請求項３７に記載の方法。
【請求項４１】
前記サポート・デバイスにより、ロール形状を規定するステップを更に含む請求項３７に記載の方法。
【請求項４２】
前記製品は、シート材料のロールを含む、請求項４１に記載の方法。
【請求項４３】
シート材料の前記ロールにパーフォレーションの処理をするステップであって、
シート材料の前記ロールは、前記製品センサ回路の前記インピーダンスを変動させるために、該パーフォレーションに沿って分離できる、ステップを更に含む請求項４２に記載の方法。
【請求項４４】
加熱素子を前記サポート・デバイスに取り付けるステップであって、該加熱素子は、電磁場を変動している時間に応じて、前記製品を加熱するように動作可能である、ステップを更に含む請求項４１に記載の方法。
【請求項４５】
強磁性材料から前記加熱素子を形成するステップを更に含む請求項４４に記載の方法。
【請求項４６】
ＰＯＳ（ｐｏｉｎｔ  ｏｆ  ｓａｌｅ）ディスプレイによって支持され、一次タンク回路を含む誘導性リーダであって、
該誘導性リーダは、
（１）前記ＰＯＳ（ｐｏｉｎｔ  ｏｆ  ｓａｌｅ）ディスプレイに、インピーダンス素子を有する誘導性回路を含む製品コンテナを追加することと、
（２）ＰＯＳ（ｐｏｉｎｔ  ｏｆ  ｓａｌｅ）ディスプレイから、
前記誘導性リーダから分離されているインピーダンス素子を有する誘導性回路を含む製品コンテナを除去することと、
の少なくとも１つに応じて、一次タンク回路において電力の特性の変化を検出するのに適合する、誘導性リーダを備える、ＰＯＳ（ｐｏｉｎｔ  ｏｆ  ｓａｌｅ）ディスプレイの製品モニター・システム。
【請求項４７】
前記ＰＯＳ（ｐｏｉｎｔ  ｏｆ  ｓａｌｅ）ディスプレイは、複数の製品コンテナをスライド可能に支持する棚乗ユニットを備える、請求項４６に記載の製品モニター・システム。
【請求項４８】
前記棚乗ユニットは、深さを規定し、
一次コイルを含む前記一次タンク回路は、実質的に、前記棚乗ユニットの前記深さに沿って広がる、請求項４７に記載の製品モニター・システム。
【請求項４９】
前記棚乗ユニットは、長さを規定し、
一次コイルを含む前記一次タンク回路は、実質的に、前記棚乗ユニットの前記長さに沿って広がる、請求項４７に記載の製品モニター・システム。
【請求項５０】
電力の前記特性は、電圧と、電流と、
位相とのうちの１つを含む、請求項４６に記載の製品モニター・システム。
【請求項５１】
累積的なインピーダンスを規定する複数の製品コンテナを更に備え、
前記誘導性リーダは、前記ＰＯＳ（ｐｏｉｎｔ  ｏｆ  ｓａｌｅ）ディスプレイから、複数の製品コンテナの１つを除去することに応じて、反射累積インピーダンスの減少を検出するのに適合している、請求項４６に記載の製品モニター・システム。
【請求項５２】
累積的なインピーダンスを規定する複数の製品コンテナを更に備え、
前記誘導性リーダは、前記ＰＯＳ（ｐｏｉｎｔ  ｏｆ  ｓａｌｅ）ディスプレイへ、製品コンテナを追加することに応じて反映された累積的なインピーダンスの増加を検出するのに適合している、請求項４６に記載の製品モニター・システム。
【請求項５３】
前記誘導性リーダは、中心ハブへの製品コンテナの追加または除去に基づいて、情報を伝送するのに適合している、請求項４６に記載の製品モニター・システム。
【請求項５４】
前記中心ハブは、製品在庫レベルの履歴を保持するのに適合するメモリを含む、請求項５３に記載の製品モニター・システム。